(57)【要約】【課題】基板から剥離したドライフィルムレジストのローラコンベアへの絡みや巻き付きを防止したレジスト除去装置を提供すること。【解決手段】複数並設された搬送ローラ２に支持されて搬送される基板Ｇに対して散布手段４より薬液を散布して該基板Ｇからレジストを除去するレジスト除去装置Ａであって、該搬送ローラ２は傾斜状態に配設され且つ該搬送ローラ２のローラシャフト２１が上端で片持ち支持されているレジスト除去装置。更に、基板Ｇの下端を支持し搬送するための複数のガイドローラ３を備えるレジスト除去装置。【選択図】　図１
2004053937.tif 000002
【特許請求の範囲】
【請求項１】
複数並設された搬送ローラに支持されて搬送される基板に対して散布手段より薬液を散布して該基板からレジストを除去するレジスト除去装置であって、該搬送ローラは傾斜状態に配設され且つ該搬送ローラのローラシャフトが上端で片持ち支持されていることを特徴とするレジスト除去装置。
【請求項２】
前記搬送ローラは、円筒状のローラであることを特徴とする請求項１記載のレジスト除去装置。
【請求項３】
更に基板の下端を支持し搬送するための複数のガイドローラを備えることを特徴とする請求項１記載のレジスト除去装置。
【請求項４】
前記ガイドローラは、傾斜状態に配設され且つそのローラシャフトが上端で片持ち支持されていることを特徴とする請求項３記載のレジスト除去装置。
【請求項５】
前記ガイドローラは、円筒状のローラであることを特徴とする請求項３記載のレジスト除去装置。
【請求項６】
前記散布手段は、基板全体に薬液を散布するための複数のシャワーパイプを備えるものであることを特徴とする請求項１又は３記載のレジスト除去装置。
【請求項７】
前記シャワーパイプは、基板の搬送方向に対して傾斜して設けられていることを特徴とする請求項６記載のレジスト除去装置。
【請求項８】
前記散布手段は、基板の上端に薬液を散布するための層状吐出パイプを備えるものであることを特徴とする請求項１又は３記載のレジスト除去装置。
【請求項９】
前記レジスト除去装置は、その固定角度を変えることにより、搬送ローラの傾斜角度を変化させることができるものであることを特徴とする請求項１又は３記載のレジスト除去装置。
【請求項１０】
搬送ローラ、ガイドローラ、及び散布手段は、枠体により囲まれており、該枠体内が負圧環境になるように調整可能となっていることを特徴とする請求項３記載のレジスト除去装置。
【発明の詳細な説明】
【０００１】
【発明の属する技術分野】
本発明は、レジスト除去装置に関し、更に詳しくは、基板から剥離されたドライフィルムレジストのローラへの絡み付きや巻き付きを防止することができるレジスト除去装置に関する。
【０００２】
【従来の技術】
プラズマディスプレイパネル（ＰＤＰ）は、表示が鮮明で、大画面化が可能で、ブラウン管（ＣＲＴ）等と比較しても非常に薄いフラットパネルディスプレイとして、近年、盛んに開発が進んでいる。
ＰＤＰは、２枚のガラス基板（前面基板及び背面基板）を対向させ、向き合うそれぞれの面に電極を配列し、基板間の空間にＨｅ、Ｎｅ等のガスを封入した構造になっている。
【０００３】
そして、各電極に電圧を印加することで微小な放電を生じさせ、この放電により基板に塗布した蛍光体を発光させて発色する。
この際、画素間の色の干渉を防止するため、通常、背面基板面にストライプ状又は格子状のリブ（バリアリブ、隔壁ともいう）が立設される。
【０００４】
リブは、サンドブラスト法、フォトリソ法等の方法を用いて、高さ１００〜２００μｍ、幅３０μｍ前後の寸法に形成される。
中でも、サンドブラスト法は、フォトレジストをマスクとして研磨粉を吹き付けてリブペーストを切削してリブを形成する方法であり、高精細なリブを比較的容易に製造できるとされる。
【０００５】
図８は、このサンドブラスト法を用いて背面基板上にストライプ状のリブを形成する工程を模式的に示した図である（強調のためにリブ等を実際より大きく表現している）。
尚、特筆しない限り、以下、背面基板を単に基板といい、リブが形成される面を基板の表面という。
【０００６】
（Ａ）まず、基板Ｇの表面に、リブペーストＰをベタ塗りして、加熱乾燥する。（Ｂ）その上にドライフィルムレジストＤをラミネートする。
（Ｃ）ドライフィルムレジストＤを露光した後、処理液をシャワーして余分なドライフィルムレジストを除去して現像する。
【０００７】
（Ｄ）残ったドライフィルムレジストＤをマスクとして研磨粉を吹き付け、リブペーストを切削（エッチング）してリブＲを形成する。
（Ｅ）薬液（剥離液）を散布して、リブＲからドライフィルムレジストを剥離させる。
この工程（Ｅ）の後、リブＲを焼成して基板Ｇと結着させる。
【０００８】
以上、各工程について概略的に述べたが、実際には、各工程のそれぞれで更に細かな作業が行われる。
例えば、上記（Ｅ）のドライフィルムレジスト剥離工程では、基板上に残留した研磨粉を水洗等により除去した後、或いは薬液を散布して研磨粉の除去と同時に、ドライフィルムレジストを剥離させる。
【０００９】
そして、基板面に残留する薬液をエアを吹き付けて除去し、基板を洗浄水で洗浄する、等の作業が必要となる（例えば特開平１１−２０２５０２号公報等参照）。
これらの作業は、通常、基板を間欠的に支持するローラコンベアに載置し、装置内を搬送しながら行われる（例えば特開平１０−３０１３００号公報等参照）。
【００１０】
図９は、従来の一般的なレジスト除去装置を示した模式図であり、（Ａ）は側面図、（Ｂ）は上面図を示す〔尚、（Ｂ）ではシャワーパイプを省略している〕。
レジスト除去装置１００は、内部にローラコンベア１０１と薬液のシャワーパイプ１０２とを備える。
【００１１】
ローラコンベア１０１は、装置の両壁面に軸受１０３を介して取り付けられたローラシャフト１０４及び搬送ローラ１０５よりなり、複数のローラシャフト１０４が水平姿勢に並設されてなる。
シャワーパイプ１０２には複数のノズル孔が開口しており、ローラコンベア１０１に載置されて搬送される基板Ｇの表面に対して薬液Ｌが散布される。
【００１２】
こうした装置では、散布された薬液が基板Ｇの表面上に滞留したまま次の洗浄工程に搬送されることで、薬液の消費量が必要以上に増大し、洗浄工程の洗浄効率が低下する等のいわゆる薬液の持ち出しの問題が生じる。
そこで、近年、基板Ｇを上記のように水平姿勢のまま搬送するのではなく、傾斜姿勢にして搬送させるタイプの除去装置が提案されている（例えば特開平９−１５５３０６号公報等参照）。
【００１３】
いずれにせよ、こうした従来のレジスト除去装置（傾斜搬送型を含む）は、薬液に溶かして除去するタイプのレジストに対しては、有効に機能しうる。
このようなタイプのレジストは、薬液中に溶けて基板Ｇの下方に流れ落ち〔図９（Ａ）及び（Ｂ）中の矢印参照〕、基板Ｇから除去される。
【００１４】
しかし、上記のドライフィルムレジストは、通常、薬液に対して不溶性のものが用いられる。
薬液は、リブとドライフィルムとを接着している接着剤を溶かすだけであり、薬液が散布されると、リブのエッチングパターン（上記の場合はストライプ状又は格子状）と同形のドライフィルムレジストが剥離される。
そして、ドライフィルムレジストは薬液中に浮遊した状態になる。
【００１５】
上記の従来のレジスト除去装置は、こうした状態の薬液が基板Ｇの下方に流れ落ちると〔図９（Ａ）及び（Ｂ）中の矢印参照〕、薬液中のドライフィルムレジストがローラコンベアに絡み又は巻き付くという問題が生じる。
即ち、こうした装置では、剥離した固形状のドライフィルムレジストが、ローラコンベア１０１（ローラシャフト１０４や搬送ローラ１０５）に巻き付き、或いは軸受１０３に噛み込んでしまう場合があった。
【００１６】
こうなると、ローラコンベアが回転する際の大きい抵抗となってローラコンベアの搬送能力が低下し、極端な場合には装置が止まってしまう。
また、ローラコンベアの駆動モータに余分な負荷をかけるため、電力消費量が必要以上に大きくなる。
【００１７】
そのため、ローラコンベアに巻き付いたドライフィルムレジストを頻繁に除去することが必要になるが、その度に装置を停止させなければならず、生産効率を著しく低下させるという問題があった。
【００１８】
【発明が解決しようとする課題】
本発明は、かかる実情を背景に、上記の問題点を克服するためになされたものである。
すなわち、基板から剥離したドライフィルムレジストのローラコンベアへの絡みや巻き付きを防止したレジスト除去装置を提供することである。
【００１９】
【課題を解決するための手段】
かくして、本発明者は、このような課題背景に対して、鋭意研究を重ねた結果、レジスト除去装置のローラコンベアを傾斜状態に配設し、その上端で片持ち支持して下端側を開放端とすることで、ドライフィルムレジストが絡んだり巻き付いたりしないで確実に流れ落ちることを見出し、この知見に基づいて本発明を完成させたものである。
【００２０】
即ち、本発明は、（１）、複数並設された搬送ローラに支持されて搬送される基板に対して散布手段より薬液を散布して該基板からレジストを除去するレジスト除去装置であって、該搬送ローラは傾斜状態に配設され且つ該搬送ローラのローラシャフトが上端で片持ち支持されているレジスト除去装置に存する。
【００２１】
そして、（２）、前記搬送ローラは、円筒状のローラであるレジスト除去装置に存する。
【００２２】
そしてまた、（３）、更に基板の下端を支持し搬送するための複数のガイドローラを備えるレジスト除去装置に存する。
【００２３】
そしてまた、（４）、前記ガイドローラは、傾斜状態に配設され且つそのローラシャフトが上端で片持ち支持されているレジスト除去装置に存する。
【００２４】
そしてまた、（５）、前記ガイドローラは、円筒状のローラであるレジスト除去装置に存する。
【００２５】
そしてまた、（６）、前記散布手段は、基板全体に薬液を散布するための複数のシャワーパイプを備えるものであるレジスト除去装置に存する。
【００２６】
そしてまた、（７）、前記シャワーパイプは、基板の搬送方向に対して傾斜して設けられているレジスト除去装置に存する。
【００２７】
そしてまた、（８）、前記散布手段は、基板の上端に薬液を散布するための層状吐出パイプを備えるものであるレジスト除去装置に存する。
【００２８】
そしてまた、（９）、前記レジスト除去装置は、その固定角度を変えることにより、搬送ローラの傾斜角度を変化させることができるものであるレジスト除去装置に存する。
【００２９】
そしてまた、（１０）、搬送ローラ、ガイドローラ、及び散布手段は、枠体により囲まれており、該枠体内が負圧環境になるように調整可能となっているレジスト除去装置に存する。
【００３０】
本発明はこの目的に沿ったものであれば、上記１〜１０の中から選ばれた２つ以上を組み合わせた構成も当然採用可能である。
【００３１】
【発明の実施の形態】
以下、図面に基づき、本発明のレジスト除去装置の好適な実施の形態について述べる。
図１は、架台に固定した本発明のレジスト除去装置を上流側から見た図である。
また、図２は、このレジスト除去装置を正面から見た図である（便宜上装置を直立させた状態で示す）。
【００３２】
本発明のレジスト除去装置Ａは、装置全体を傾斜させて架台Ｂに固定することにより、基板Ｇを傾斜姿勢で搬送する（図１参照）。
尚、搬送方向は、この実施形態においては、図１では紙面の奥に向かう方向、図２では紙面の右から左に向かう方向である。
【００３３】
レジスト除去装置Ａは、枠体１、搬送ローラ２、ガイドローラ３、シャワーパイプ４を備える散布手段、及び駆動モータ５を含む駆動系等からなる。
枠体１は、搬送ローラ２、ガイドローラ３、及び散布手段等を囲む状態に形成され、内部で種々の薬液が散布されるため、耐薬品性に優れたプラスチック板等の素材より形成される。
【００３４】
この実施形態では、薬液を繰り返し使用するため、枠体１の底面１１に傾斜を設けて散布後の薬液を集める。
そして枠体１の後壁１２に設けた排出パイプ１３から溜まった薬液を排出し、ドライフィルムレジスト等の固体成分などを除去した後、図示しないタンクに収容される。
【００３５】
また、薬液の枠体外部への漏出を防ぐために、枠体１の後壁１２には排気ダクト１４が開口しており、枠体１内の空気を排気して内部の圧力が負圧環境になるように調整することが可能できる。
更に、枠体１に透明材料を使用すれば、内部の作業状況を随時監視することができ、より好ましい。
【００３６】
レジスト除去装置Ａには、複数の搬送ローラ２が等ピッチで並設され、全体としてローラコンベアを形成している。
搬送ローラ２のローラシャフト２１は、枠体１の上壁１５に挿通され、枠体１の外部で架台Ｂに固定された２つの支持板２２及び支持板２３によりベアリング等を介して回転自在に支持される。
このように、この装置Ａでは、搬送ローラ２はそのローラシャフト２１の上端で支持板２２及び支持板２３により片持ち支持されており、下端側は開放端となっている。
【００３７】
因みに、先述したように、装置Ａは、装置全体が傾斜した状態に架台Ｂに固定されて使用される（図１参照）。
それにより、搬送ローラ２も傾斜状態に配設された状態で使用されるため、同時に基板Ｇを傾斜姿勢に支持しつつ搬送することが可能となるのである。
【００３８】
本発明のレジスト除去装置Ａは、基板Ｇの下端を下方から支持して搬送するため、基板Ｇの下端側に、搬送ローラに対して略直交する方向に並設された複数のガイドローラ３を備える。
先述したように、装置全体が傾斜した状態に架台Ｂに固定されて使用されるため、搬送ローラ２と同様、ガイドローラ３も傾斜状態に配設された状態で使用される。
【００３９】
上記搬送ローラ２の場合と同様、ガイドローラ３のローラシャフト３１は、枠体１の前壁１６に挿通され、枠体１の外部で架台Ｂに固定された２つの支持板３２及び支持板３３により、ベアリング等を介して回転自在に支持される。
このように、この装置Ａでは、搬送ローラ２と同様に、ガイドローラ３もそのローラシャフト３１の上端（前端）で、支持板３２及び支持板３３により片持ち支持されており、下端側は開放端となっている。
【００４０】
ガイドローラ３には、その上端側に鍔部３４を設けておくことが好ましい。
万一搬送中の基板Ｇの下端、即ちガイドローラ３に当接する部分が、枠体１の前壁側にずれたとしても、前壁１６に接触する前に止められるためである。
【００４１】
ここで、搬送ローラ２及びガイドローラ３は、円筒状のローラが好ましく使用される。
材料は、耐薬品性や耐摩耗性に優れ、ガラスが当接しても破損しない程度に硬性や可撓性を有する素材、例えば、ポリエチレン等のポリオレフィン樹脂等が好ましく採用される。
【００４２】
尚、枠体１の上壁１５や前壁１６とローラシャフトの隙間から、散布した薬液が装置外に漏出しないように、ローラシャフト２１やローラシャフト３１の上壁等の内側の部分に、液止め板（図示しない）が２重、３重に配されている。
また、先述したように、排気ダクト１４により枠体内の圧力が負圧環境に保たれているため、枠体外への薬液等の漏出は確実に防止される。
【００４３】
この実施形態では、散布手段は、複数のシャワーパイプ４がそれぞれ平行に配設されて構成される。
シャワーパイプ４（図２でその一部を示す）は、複数の搬送ローラ２で形成されるローラコンベアに対して一定の間隔を置いて平行に配置される。
この際、基板Ｇ（図１及び図２の一点鎖線参照）の表面全体により確実に薬液が付与されるように、基板Ｇの搬送方向に対して若干傾斜した状態に配置するとよい。
【００４４】
図３は、シャワーパイプを備える散布手段の拡大図である。
シャワーパイプ４には、複数の噴霧ノズル４１が設けられており、その一端は軸受部４２を介して主管４３により支持されている。
噴霧ノズル４１は、薬液の散布量等を考慮して、種々のスプレーパターンを有する１流体ノズルや２流体ノズル等の中から適宜選択され使用される。
【００４５】
軸受部４２は密閉式のベアリング構造になっており、シャワーパイプ４は回動可能に取り付けられている。
薬液Ｌは、先述した装置外のタンク（図示しない）から供給管４４を通して主管４３に供給され、それが各シャワーパイプ４に分配されて噴霧ノズル４１から散布される。
主管４３は、図示しない固定手段により装置Ａに固定されており、装置内でのシャワーパイプ４の位置決めがされる。
【００４６】
シャワーパイプ４の反対端は、ベアリング等を介して支持体４５に回動可能に取り付けられており、支持体４５の外側で連結片４６の一端に固定されている。
支持体４５は、図示しない固定手段によって装置Ａに固定されている。
【００４７】
更に、連結片４６の他端は棒状の往復移動リンク４７に回動自在に取り付けられている。
往復移動リンク４７は、枠体外部に設置された動力源（図示しない）により上下方向に往復運動する（図中の上下方向の矢印参照）。
この往復移動リンク４７の上下方向の往復運動は、連結片４６を介してシャワーパイプ４に伝えられ、シャワーパイプ４を一定角度回動させる（図中のシャワーパイプ周りの矢印参照）。
【００４８】
このようにしてシャワーパイプ４が回動することにより、噴霧ノズル４１が上下方向にいわゆる首振り運動をするため、基板の表面全体に効率良く薬液を散布することが可能となる。
シャワーパイプ４を回動させず噴霧ノズル４１の向きを固定して使用することも当然可能である。
【００４９】
図１及び図２において、搬送ローラ２及びガイドローラ３は駆動モータ５を含む駆動系により同期して回転駆動される。
駆動モータ５の回転は、ローラシャフト３１の上端に取り付けられたチェーン５１及びスプロケット３５を介して各ガイドローラ３に駆動伝達される。
【００５０】
また、駆動モータ５の回転駆動は、スプロケット５２から同じシャフト上のプーリ５３やタイミングベルト５４等を介して装置Ａの上方のプーリ５５に伝達される。
そして、同じシャフトに取り付けられたスプロケット５６を回転させ、その回転がチェーン５７を介してスプロケット２４に伝達され、各搬送ローラ２を同期して回転させる。
このようにして、本発明のレジスト除去装置Ａでは、搬送ローラ２及びガイドローラ３のすべてが同期して回転するのである。
【００５１】
尚、例えば、上記のチェーン及びスプロケットを使用している部分にタイミングベルト及びプーリを用いる等の変更は適宜可能であり、スプロケットにチェーンを押し付けるための補助手段を設けることも適宜行われる。
また、搬送ローラ及びガイドローラは、基板を支持し搬送するという機能が発揮されればよく、例えば、それらの一方のみを駆動回転し、他方をフリー回転可能とすることもできる。
【００５２】
以上、本発明のレジスト除去装置Ａの基本構造について述べたが、次に、実際の基板Ｇの処理工程に基づいて装置Ａについて更に詳しく述べる。
後述するように、本発明のレジスト除去装置Ａは、ドライフィルムレジストだけでなく種々のレジストの剥離に使用することができる。
しかし、ここでは、本発明が優れた効果を発揮するドライフィルムレジストの剥離過程に即して説明する。
【００５３】
サンドブラスト法によりリブを切削形成された基板Ｇ〔図８（Ｄ）参照〕は、装置Ａとは別体の搬送装置やロボット等の移送手段（図示しない）により、装置Ａに搬入される。
具体的には、基板（この場合は図２の基板Ｇ１）は、上記移送手段により傾斜状態にされ、枠体１の上流側の壁（上流壁１７）に設けられたスリット状の搬入口（図示しない）から、装置Ａ内に搬入される。
【００５４】
基板Ｇは、図１及び図２の一点鎖線（図２では中央の基板Ｇ）に示す状態に配置され、シャワーパイプ４の噴霧ノズル４１から所定の薬液が基板Ｇの表面全体に散布される。
そして、先述したように、リブとドライフィルムレジストを接着している接着剤が溶かされ、ドライフィルムレジストを剥離させる。
【００５５】
剥離したドライフィルムレジストは、散布された薬液とともに基板Ｇの表面を流れ下り、基板Ｇの下端から枠体１の底面１１に落下する。
この際、ドライフィルムレジストの一部が、ガイドローラ３や、場合によっては搬送ローラ２に引っかかる場合がある。
【００５６】
しかし、本発明のレジスト除去装置Ａの搬送ローラ２及びガイドローラ３は、先述したように、それぞれ傾斜状態に配設され、それぞれのローラシャフトの上端で片持ち支持されて下端側が開放端になっている（図１参照）。
また、搬送ローラ２及びガイドローラ３は、円筒状のローラが使用されている。
【００５７】
そのため、仮にガイドローラ３等にドライフィルムレジストが引っかかったり多少絡みついたりしても、散布される薬液により、或いは基板表面を伝って次々と流れ落ちてくる薬液により洗い流されて、ローラの開放端から落下する（流洗機能）。
また、ガイドローラ３等の回転により、ローラに引っかかったドライフィルムレジストは自然に落下するのである（自浄機能）。
【００５８】
このように、本発明のレジスト除去装置Ａは、傾斜状態に配設され下端側に開放端を有するローラを備えることにより、ドライフィルムレジストのローラへの巻き付きを的確に防止することができるのである。
また、基板Ｇを傾斜姿勢で搬送するため、散布された薬液は、そのほとんどが枠体１の底面１１に流れ落ちてしまう。
そのため、先述した薬液の持ち出しの問題も解消され、効率よく薬液を再利用することができる。
【００５９】
因みに、基板Ｇの表面に前工程であるサンドブラスト工程の研磨粉が残留している場合があるが、薬液の散布により、ドライフィルムレジストの剥離と同時に研磨粉が洗い流され、効率よく除去することができる。
従って、薬液には、洗浄剤やその他の薬剤が適宜添加されて使用される。
【００６０】
さて、先述したように、ドライフィルムレジストの剥離工程では、リブＲはまだ焼成されておらず、必ずしも基板に堅く結着した状態にはなっていない〔図８（Ｄ）（Ｅ）参照〕。
そのため、シャワーパイプ４から散布される薬液の衝撃で、基板表面のリブが傾いたり、基板から剥がれたりする可能性がある。
【００６１】
散布により衝撃を与えないように、散布手段は、シャワーパイプ４に代えて又はシャワーパイプ４と併設するかたちで、基板Ｇの上端に薬液を散布して薬液を緩やかに流下させるための層状吐出パイプを備えることも可能である。
図４は、層状吐出パイプを備える散布手段の構成例を説明する図である。
【００６２】
層状吐出パイプ６は、スリットノズル６１を備える。
薬液Ｌは、先述した装置外のタンクから供給管６２を通って層状吐出パイプ６に送られ、該装置のスリットノズル６１から基板Ｇの上端に層状に吐出（層状散布）される。
そして、基板Ｇの表面を緩やかに流下しながらドライフィルムレジストを剥離していくのである。
【００６３】
供給管６２は、層状吐出パイプ６を支持する機能をも有する。
この際、供給管６２を、装置に対して搬送ローラ２に沿う方向（図中の矢印方向）に移動可能に取り付ければ、基板Ｇの大きさに合わせて層状吐出パイプ６の上下位置を調整できる。
【００６４】
一方、基板表面を流下する薬液が、リブから一部剥離したドライフィルムレジストを下方に引っ張るために、リブが傾いたり剥がれたりする場合もある（図５参照）。
つまり、流下する薬液が一部剥離したドライフィルムレジストＤを引っ張り、このドライフィルムレジストＤが、まだ剥離せずに接着している部分のリブＲを引っ張るため、リブが傾いたり（Ｒ１）、剥がれたりする（Ｒ２）。
【００６５】
このような現象は、基板表面での薬液の流下速度が速すぎる場合に生じ易い。そのため、基板の傾斜状態を緩やかにすることにより回避することができる。本発明のレジスト除去装置Ａは、装置全体を傾斜させて架台Ｂに固定されるが（図１参照）、この装置の固定角度を変えることにより、搬送ローラの傾斜角度を自在に変化させることができる。
【００６６】
図６は、搬送ローラの傾斜角度θを説明する概略図である。
傾斜角度θは、搬送ローラ２と水平面Ｈとのなす角度であり、同時に、基板Ｇの水平面に対する傾斜の度合いを示す角度でもある。
搬送ローラ２の傾斜角度θを小さな角度（例えば３０°程度）にすると、基板表面での薬液の流下速度が小さくなり、上記のリブの傾斜や剥離という問題は回避できる。
【００６７】
因みに、搬送ローラ２の傾斜角度θを大きくすれば、薬液の流下速度が速くなるため、ドライフィルムレジストの剥離効率が向上する。
そのため、上記問題点や剥離効率等の観点から搬送ローラ２の傾斜角度θは適宜選択され、通常、２０〜８０°程度の角度範囲の中から選ばれる。
【００６８】
さて、基板Ｇは、上記シャワーパイプ４や層状吐出パイプ６から薬液の散布を受けながら、装置Ａ内を傾斜姿勢で搬送される（図１及び図２参照）。
先述したように、搬送ローラ２及びガイドローラ３は、駆動系により同期されて回転するため、基板Ｇはスムーズに下流方向に搬送される。
【００６９】
このようにして、基板Ｇは、ドライフィルムレジストを剥離され（場合によっては同時にサンドブラストの研磨粉を除去され）、最終的に装置Ａの枠体１の下流壁１８に設けられた搬出口（図示しない）から搬出される。
【００７０】
本発明のレジスト除去装置Ａは、以上のように、ドライフィルムレジストの剥離工程において、優れた性能を示す。
しかし、従来例で述べた薬液に溶けるタイプのレジストに対しても、当然、有効に機能する。
【００７１】
即ち、本発明のレジスト除去装置Ａは、ドライフィルムレジストでも可溶性のレジストでも、種々のフォトリソグラフィー技術に使用されるすべてのレジストの除去工程に採用できる。
通常のプリント基板の製造工程や導電性又は絶縁性の厚膜形成工程のみならず、フィールドエミッションディスプレイ（ＦＥＤ）、エレクトロルミネッセンス（ＥＬ）、液晶表示装置、蛍光表示装置等の製造工程においても有効に使用できることは言うまでもない。
【００７２】
以上、本発明を説明してきたが、本発明は実施形態にのみ限定されるものではなく、その本質を逸脱しない範囲で、他の種々の変形例が可能であることは言うまでもない。
例えば、上記実施形態のように装置全体を傾斜させるのではなく、水平面に直立した状態の装置Ｃの内部に搬送ローラ２等を傾斜状態に配設することも当然可能である（図７参照）。
【００７３】
また、搬送ローラの傾斜角度θが大きい場合（例えば図１のような場合）、搬送ローラにドライフィルムレジストが引っ掛かることはないと言える。
そうした場合には、搬送ローラは上記のような円筒状のローラではなく、図９に示したようなローラ（但し傾斜状態に配設されローラシャフトが上端で片持ち支持される）を用いることも可能である。
【００７４】
更に、近年、特にプラズマディスプレイパネルでは大型化が進んでおり、本発明のレジスト除去装置においても、ローラの本数を増やして装置を拡大したり、複数の装置を連結して使用することも当然可能である。
【００７５】
【発明の効果】
本発明によれば、搬送ローラが傾斜状態に配設され、その上端で片持ち支持されて下端側を開放端となっているため、ドライフィルムレジストの絡み付きや巻き付きを確実に防止することができる。
同様なことがガイドローラにも言える。
【００７６】
また、シャワーパイプや層状吐出パイプを備えた散布手段により、薬液を基板の表面全体に的確に散布付与することができる。
更に、シャワーパイプを基板の搬送方向に対して傾斜して設けることで、表面全体により確実に薬液が付与される。
【図面の簡単な説明】
【図１】図１は、架台に固定した本発明のレジスト除去装置を上流側から見た図である。
【図２】図２は、このレジスト除去装置を正面から見た図である。
【図３】図３は、シャワーパイプを備える散布手段の拡大図である。
【図４】図４は、層状吐出パイプを備える散布手段の構成例を説明する図である。
【図５】図５は、ドライフィルムレジストに引っ張られてリブが傾き剥がれた状態を示す模式図である。
【図６】図６は、搬送ローラの傾斜角度θを説明する概略図である。
【図７】図７は、直立した装置内に傾斜状態の搬送ローラ等を配設した構成例を示す概略図である。
【図８】図８は、サンドブラスト法を用いて背面基板上にストライプ状のリブを形成する工程を模式的に示した図である。
【図９】図９は、従来の一般的なレジスト除去装置を示した模式図であり、（Ａ）は側面図、（Ｂ）は上面図を示す。
【符号の説明】
１…枠体
１１…底面
１２…後壁
１３…排出パイプ
１４…排気ダクト
１５…上壁
１６…前壁
１７…上流壁
１８…下流壁
２…搬送ローラ
２１…ローラシャフト
２２、２３…支持板
２４…スプロケット
３…ガイドローラ
３１…ローラシャフト
３２、３３…支持板
３４…鍔部
３５…スプロケット
４…シャワーパイプ
４１…噴霧ノズル
４２…軸受部
４３…主管
４４…供給管
４５…支持体
４６…連結片
４７…往復移動リンク
５…駆動モータ
５１…チェーン
５２…スプロケット
５３…プーリ
５４…タイミングベルト
５５…プーリ
５６…スプロケット
５７…チェーン
６…層状吐出パイプ
６１…スリットノズル
６２…供給管
１００…従来のレジスト除去装置
１０１…ローラコンベア
１０２…シャワーパイプ
１０３…軸受
１０４…ローラシャフト
１０５…搬送ローラ
Ａ…レジスト除去装置
Ｂ…架台
Ｃ…レジスト除去装置の変形例
Ｄ…ドライフィルムレジスト
Ｇ、Ｇ１…基板
Ｈ…水平面
Ｌ…薬液
Ｐ…リブペースト
Ｒ、Ｒ１、Ｒ２…リブ
【図１】
2004053937.tif 000003
【図２】
2004053937.tif 000004
【図３】
2004053937.tif 000005
【図４】
2004053937.tif 000006
【図５】
2004053937.tif 000007
【図６】
2004053937.tif 000008
【図７】
2004053937.tif 000009
【図８】
2004053937.tif 000010
【図９】
2004053937.tif 000011